(57)【要約】      （修正有）【課題】着用快適性に優れた弾性ウェストバンド締具を提供する。【解決手段】締具ケーシングとシュート・ブレード係合ボタン、スプリング、内側パネル及びウエストバンド連結部材からなる。締具ケーシングの内部に、スプリングが一端に連結されたシュート・ブレード係合ボタンが摺動自在に収容され、シュート・ブレード係合ボタンの他端に、ウェストバンド係合孔に係合されるウェストバンド係合ボタンが固設される。締具ケーシング内部に実装されるスプリングにより、シュート・ブレード係合ボタンが伸縮能力を付与される。【選択図】図３
0003158778.tif 000002
【実用新案登録請求の範囲】
【請求項１】
主として、締具ケーシングとシュート・ブレード係合ボタン、スプリング、内側パネル及びウエストバンド連結部材からなる弾性ウエストバンド締具であって、
上記締具ケーシングの内部に、上記スプリングが一端に連結された上記シュート・ブレード係合ボタンが摺動自在に収容され、
上記シュート・ブレード係合ボタンの他端に、ウェストバンド係合孔に係合されるウェストバンド係合ボタンが固設されてなり、腰部によりウェストバンドを介して与えられる引張力に応じて上記ウェストバンド係合ボタンを基準として上記スプリングの弾性との調和により、上記シュート・ブレード係合ボタンを摺動させることによりウェストバンド締具の幅を調整するようにしたことを特徴とするウェストバンド締具。
【請求項２】
上記締め金具ケーシング内部に、上記シュート・ブレード係合ボタンに連結されたスプリングが実装され、上記スプリングにより、上記シュート・ブレード係合ボタンが、伸縮能力を付与されてなることを特徴とする請求項１に記載の弾性ウェストバンド締具。
【考案の詳細な説明】
【技術分野】
【０００１】
本考案は、ウェストバンド締具に関するものであり、さらに詳しくは、腰部により発生した引張力を吸収でき、胴回りのサイズに応じて伸縮自在であり、快適な弾性ウェストバンド締具に関するものである。
【背景技術】
【０００２】
従来、市販されているウェストバンドの締め金具は、図１に示すように伸縮弾性を有しないパネル構造のものである。また、ウェストバンド自体も、弾性を有しない材質から製造されたものが多い。例えば、かかる材質として、引張強度等も要求されることから、通常、皮革及び布等が用いられている。
【０００３】
従って、かかるウェストバンドを着用する場合、腹部の突出や呼吸或いはいつくばる等の原因により、弾性を有しないウェストバンドによれば、きつく締め付けられて、呼吸が困難になるおそれもある。
【０００４】
かかる状況下において、ズボン、スカート等を腰に巻着するベルトのバックルの裏面に複数の係止ピンが固着され、これらの係止ピンに対してベルトに係止孔が穿孔され連結できるように構成された考案が提案されている（実開平５−３９３０６号公報）。
しかし、かかる考案によってもベルトへの穿孔の間隔を狭くするには限度があり、快適性が得られる微細な調整が困難であり、また、加工も容易ではないという問題が残されている。
従って、ウェストバンドによる締め付けを防止し快適性の確保可能なウェストバンド締具の開発が切望されてきた。
【特許文献１】実開平５−３９３０６号公報
【考案の開示】
【考案が解決しようとする課題】
【０００５】
従って、本考案の課題は、上記の如き従来のウェストバンド締め金具によれば、胴回り又は腰部が締め付けられるという問題点を解消し、快適性に優れたウェストバンド締具を提供する点にある。
【課題を解決するための手段】
【０００６】
そこで、本考案者は、上記の従来のウェストバンド締め金具の欠点を解消し、本考案の上記の課題を解決するために鋭意検討を重ねたところ、締具ケーシング内部に設けたスプリングと、該スプリングに結合し、腰部により生じた引張力に応じて、自在に摺動可能なシュート・ブレード係合ボタンとを具備することにより、上記の問題点の解消可能な弾性ウェストバンド締具を提供できる点に着目し、かかる知見に基づいて本考案を想到するに至った。
【０００７】
従って、本考案の主な目的は、腰部又は胴回りが過度に締め付けられる情況を解消でき、より良い快適性が得られる弾性ウェストバンド締具、特に弾性ウェストバンド締め金具を提供する点にある。
【０００８】
かくして、本考案によれば、請求項１において、
主として、締具ケーシングとシュート・ブレード係合ボタン、スプリング、内側パネル及びウエストバンド連結部材からなる弾性ウエストバンド締具であって、
上記締具ケーシングの内部に、上記スプリングが一端に連結された上記シュート・ブレード係合ボタンが摺動自在に収容され、
上記シュート・ブレード係合ボタンの他端に、ウェストバンド係合孔に係合されるウェストバンド係合ボタンが固設されてなり、腰部によりウェストバンドを介して与えられる引張力に応じて上記ウェストバンド係合ボタンを基準として上記スプリングの弾性との調和により、上記シュート・ブレード係合ボタンを摺動させることによりウェストバンド締具の幅を調整するようにしたことを特徴とするウェストバンド締具が提供される。
【０００９】
請求項２の考案によれば、
上記締め金具ケーシング内部に、上記シュート・ブレード係合ボタンに連結されたスプリングが実装され、上記スプリングにより、上記シュート・ブレード係合ボタンが、伸縮能力を付与されたことを特徴とする請求項１に記載の弾性ウェストバンド締具が提供される。
【考案の効果】
【００１０】
本考案は、上記の構成からなる弾性ウェストバンド締具を提供するものであり、胴回りのサイズに応じて微妙に伸縮可能であり、腰部を締め付けることがないので快適性に優れたものであり、従来のウェストバンド締具を改良した点で顕著な効果を奏するものである。
【考案を実施するための最良の形態】
【００１１】
以下、図面を参照しながら、本考案に係るウェストバンド締具の特徴及び技術内容について、詳しく説明する。もっとも、それらの図面等は、参考及び説明のためであり、本考案は、それらによって限定されるものではない。なお、本考案に係るウェストバンド締具の材質は、本考案の目的が達成されるものであれば如何なるものでもよく、金属のほかプラスチック等を用いることができるが、金属材料を採用することが好ましい。また、締具ケーシングその他の各構成要素について同一の材質又は異なる材質のいずれでもよく適宜選択して用いることができる。
【００１２】
図２と図３を参照しながら、本考案に係る具体例としてのウェストバンド締め金具について説明する。
本考案に係る具体例としてのウェストバンド締め金具は、締め金具ケーシング１０とシュート・ブレード係合ボタン２０、内側パネル３０及びウェストバンド連結部材４０から構成されてなるものである。
【００１３】
かかるウェストバンド締め金具の構成要素のなかで、締め金具ケーシング１０は、金型により鋳造されたケーシング主体であり、該主体に、シュート・ブレード係合ボタン２０を収納するため、シュート・ブレード収納室１１とスプリング収納室１２及びシュート・ブレード固定凹溝１３が形成されたものである。該シュート・ブレード係合ボタン２０には、更に、使用する際の摩擦力を低減するための中空領域２３が設けられてある。
【００１４】
本考案によれば、該主体の先端内側に、ウェストバンド係合孔５１と係合するためのウェストバンド係合ボタン２２が固設され、また、シュート・ブレードの底端に、プレス加工により、スプリング２５に連結され、スプリングを当接するための、９０度の直角に湾曲されたスプリング連結ストッパー２４が設置されてある。シュート・ブレード係合ボタン２０が、締め金具ケーシング主体１０内に組立てられると、該締め金具ケーシング主体１０の裏面の四隅に形成されたネジ孔１４が、内側パネル３０に穿孔されたネジ孔３２に一致してなり、ネジがネジ孔１４に螺入されることにより、封止されて、該スプリング締め金具主体の組立てが終了する。
【００１５】
また、該締め金具ケーシング１０の一端に、可動的に直列軸心１５が設置され、それを引き出して、ウェストバンド連結部材４０の直列軸孔４３に挿設してかしめることにより連結し、固定され、ウェストバンド連結部材４０により、締め金具ケーシング１０とウェストバンド５０とが接続され、上記の構造により、図３の背面の一部断面図で示すように本考案に係るウェストバンド締め具が構成される。
【００１６】
また、図３は、内側パネル３０の断面線３３により、一部断面の内部を示し、組立要素を観察するものであり、本考案に係るウェストバンド締め金具の組立後の一部断面図である。
【００１７】
図４は、本考案の一実施形態によるウェストバンド締め金具の使用状態を示す斜視図である。まず、ウェストバンド５０を、ウェストバンド連接収納室４２内に挿入してから、ウェストバンド固定ネジ４４で固定し、該ウェストバンド５０の末端に、係合ボタン２２が係合されるための複数のウェストバンド係合孔５１が設置される。
【００１８】
本考案に係る弾性ウェストバンド締め金具は、ユーザーの胴回りや腹部の引張力が、内部のスプリング２５による圧縮力より大きい場合、ウェストバンド係合孔と係合した係合ボタン２２  により、シュート・ブレード係合ボタン２０が連動し、腹部の突出変化に応じて、締め金具ケーシング１０から外方へ摺動することにより調整され、締め金具の幅が大きくなる。また、腹部が正常状態になると、シュート・ブレード係合ボタン２０が、元の締め金具ケーシング１０のパネルのシュート・ブレード収納室１１内へ復帰する。かかる動作により、弾性活動範囲が図４の矢印６０の幅で示される。
【００１９】
図５は、本考案に係るウェストバンド締め金具の一実施形態の左側面の一部断面図であり、図３のように、内側パネル３０の断面線３３により、その組立要素の変化を観察すると、ウェストバンド係合ボタン２２に、ユーザーの腰部の引張力が加えられると、シュート・ブレード係合ボタン２０が、シュート・ブレード固定凹溝１３に沿って、締め金具ケーシング１０から外方へ変位し、スプリング２５が圧縮する時の内部作動が示めされている。
【００２０】
以上のように、本考案に係る弾性ウェストバンド締具は、上記の構成からなるものであり、ウェストバンド締具の適用幅が向上し、また、着用快適性が向上するという顕著な効果を奏するものであり、有用なものである。
【００２１】
従って、本考案は、より進歩的かつより実用的であることは明らかであり、法に従って実用新案登録を求める。
【００２２】
以上の説明は、本考案のより良い実施形態に関するものであり、本考案は、それらによって限定されるものではなく、また、本考案に係わる考案登録請求の範囲や明細書の内容に基づいて行った等価の変更や修正は、全てが、本考案の範囲内に含まれることは明らかである。
【図面の簡単な説明】
【００２３】
【図１】従来のウェストバンド締め金具の斜視図である。
【図２】本考案の一実施形態によるウェストバンド締め金具の分解斜視図である。
【図３】本考案の一実施形態によるウェストバンド締め金具の一部断面図である。
【図４】本考案の一実施形態によるウェストバンド締め金具の使用状態を示す斜視図である。
【図５】本考案の一実施形態によるウェストバンド締め金具の左側面の一部断面図である。
【符号の説明】
【００２４】
１０  締め金具ケーシング
１１  シュート・ブレード収納室
１２  スプリング収納室
１３  シュート・ブレード固定凹溝
１４  ネジ孔
１５  直列軸心
２０  シュート・ブレード係合ボタン
２１  シュート・ブレード主體
２２  ウェストバンド係合ボタン
２３  中空領域
２４  スプリングストッパー
２５  スプリング
３０  内側パネル
３１  係合ボタン欠け口
３２  ネジ
３３  断面線
４０  ウェストバンド連結部材
４１  ウェストバンド内側係合部
４２  ウェストバンド連接収納室
４３  直列軸孔
４４  ウェストバンド固定ネジ
５０  ウェストバンド
５１  ウェストバンド係合孔
６０  弾性活動範囲
【図１】
0003158778.tif 000003
【図２】
0003158778.tif 000004
【図３】
0003158778.tif 000005
【図４】
0003158778.tif 000006
【図５】
0003158778.tif 000007
【手続補正書】
【提出日】平成22年2月15日(2010.2.15)
【手続補正１】
【補正対象書類名】実用新案登録請求の範囲
【補正対象項目名】全文
【補正方法】変更
【補正の内容】
【実用新案登録請求の範囲】
【請求項１】
主として、締具ケーシングとシュート・ブレード係合ボタン、スプリング、内側パネル及びウエストバンド連結部材からなる弾性ウエストバンド締具であって、
上記締具ケーシングの内部に、上記スプリングが一端に連結された上記シュート・ブレード係合ボタンが摺動自在に収容され、
上記シュート・ブレード係合ボタンの他端に、ウェストバンド係合孔に係合されるウェストバンド係合ボタンが固設されてなり、腰部によりウェストバンドを介して与えられる引張力に応じて上記ウェストバンド係合ボタンを基準として上記スプリングの弾性との調和により、上記シュート・ブレード係合ボタンを摺動させることによりウェストバンド締具の幅を調整するようにしたことを特徴とする弾性ウェストバンド締具。
【請求項２】
上記締具ケーシング内部に、上記シュート・ブレード係合ボタンに連結されたスプリングが実装され、上記スプリングにより、上記シュート・ブレード係合ボタンが、伸縮能力を付与されてなることを特徴とする請求項１に記載の弾性ウェストバンド締具。
【手続補正２】
【補正対象書類名】明細書
【補正対象項目名】０００８
【補正方法】変更
【補正の内容】
【０００８】
かくして、本考案によれば、請求項１において、
主として、締具ケーシングとシュート・ブレード係合ボタン、スプリング、内側パネル及びウエストバンド連結部材からなる弾性ウエストバンド締具であって、
上記締具ケーシングの内部に、上記スプリングが一端に連結された上記シュート・ブレ
ード係合ボタンが摺動自在に収容され、
上記シュート・ブレード係合ボタンの他端に、ウェストバンド係合孔に係合されるウェストバンド係合ボタンが固設されてなり、腰部によりウェストバンドを介して与えられる引張力に応じて上記ウェストバンド係合ボタンを基準として上記スプリングの弾性との調和により、上記シュート・ブレード係合ボタンを摺動させることによりウェストバンド締具の幅を調整するようにしたことを特徴とする弾性ウェストバンド締具が提供される。
【手続補正３】
【補正対象書類名】明細書
【補正対象項目名】０００９
【補正方法】変更
【補正の内容】
【０００９】
請求項２の考案によれば、
上記締具ケーシング内部に、上記シュート・ブレード係合ボタンに連結されたスプリングが実装され、上記スプリングにより、上記シュート・ブレード係合ボタンが、伸縮能力を付与されたことを特徴とする請求項１に記載の弾性ウェストバンド締具が提供される。